(57)【要約】【課題】商品価値を高めた美容器を提供する。【解決手段】美容器は、基部と、基部から延在する第１、第２アームと、第１アームに設けられる第１施術体と、第２アームに設けられる第２施術体と、を備える。第１、第２アームはそれぞれ、第１、第２変形部を含み、第１、第２変形部は、第１施術体と第２施術体との距離が変化するよう弾性変形可能に構成されている。第１変形部は、変形部芯材３６Ｒと変形部芯材３６Ｒを覆う変形部カバー３８Ｒとを含む。第２変形部は、変形部芯材３６Ｌと変形部芯材３６Ｌを覆おう変形部カバー３８Ｌとを含む。【選択図】図８
2020099659.tif 000002
【特許請求の範囲】
【請求項１】
基部と、
前記基部から延在する第１、第２アームと、
前記第１アームに設けられる第１施術体と、
前記第２アームに設けられる第２施術体と、
を備え、
前記第１、第２アームはそれぞれ、第１、第２変形部を含み、当該第１、第２変形部は、前記第１施術体と前記第２施術体との距離が変化するよう弾性変形可能に構成されており、
前記第１、第２変形部はそれぞれ、芯材と当該芯材を覆うカバーとを含むことを特徴とする美容器。
【請求項２】
前記芯材と前記カバーとは弾性率が異なることを特徴とする請求項１に記載の美容器。
【請求項３】
前記第１、第２変形部は、ねじり弾性変形可能に構成されることを特徴とする請求項１または２に記載の美容器。
【発明の詳細な説明】
【技術分野】
【０００１】
本発明は、美容器に関する。
【背景技術】
【０００２】
回転体、すなわちローラを肌にあてて転がす美容器が知られている。顔に使用すると、あご周りのフェイスラインが引き締まり、リフトアップ効果が実感できる。複数のローラが肌を摘み上げるタイプのものはマッサージ効果もあり、使っているだけでも気持ちがよい。より積極的に、リンパマッサージの要領で使えば、老廃物の排出が促進され、新陳代謝が上がり、肌艶を改善できる。脚に使えばむくみやセルライトもとれやすくなる。
【０００３】
従来では、アームが弾性変形し、その弾性力により施術体であるマッサージローラが体に押し付けられる美容器が提案されている。この美容器によれば、使用者が力を入れてマッサージローラを体に押し付ける必要がなく、使用者は楽に使用できる。
【先行技術文献】
【特許文献】
【０００４】
【特許文献１】特開２０１２−２１７５１６号公報
【発明の概要】
【発明が解決しようとする課題】
【０００５】
本発明は係る状況においてされたものであり、そのある態様の例示的な目的のひとつは、商品価値を高めた美容器の提供にある。
【課題を解決するための手段】
【０００６】
上記課題を解決するために、本発明のある態様の美容器は、基部と、基部から延在する第１、第２アームと、第１アームに設けられる第１施術体と、第２アームに設けられる第２施術体と、を備える。第１、第２アームはそれぞれ、第１、第２変形部を含み、当該第１、第２変形部は、第１施術体と第２施術体との距離が変化するよう弾性変形可能に構成されており、第１、第２変形部はそれぞれ、芯材と芯材を覆うカバーとを含む。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、商品価値を高めることができる。
【図面の簡単な説明】
【０００９】
【図１】実施の形態に係る美容器の斜視図である。
【図２】図１の美容器の正面図である。
【図３】図１の美容器の背面図である。
【図４】図１の美容器の平面図である。
【図５】図１の美容器の底面図である。
【図６】図１の美容器の右側面図である。
【図７】図１の美容器の左側面図である。
【図８】図１の美容器の分解斜視図である。
【図９】図１の美容器の透視斜視図である。
【図１０】図１の美容器の透視正面図である。
【図１１】図２のＡ−Ａ線断面図である。
【図１２】図１の美容器の使用状態を示す正面図である。
【図１３】図１の美容器の使用状態を示す側面図である。
【図１４】図１の第１施術体の使用状態を示す図である。
【図１５】図１の第１施術体の使用状態を示す図である。
【図１６】代表的なシミュレーション結果を示す図である。
【図１７】押し付け力の測定結果を示す図である。
【図１８】体感試験の結果を示す図である。
【発明を実施するための形態】
【００１０】
以下の実施の形態では、同一の構成要素に同一の符号を付し、重複する説明を省略する。また、各図面では、説明の便宜のため、構成要素の一部を適宜省略する。
【００１１】
図１は、実施の形態に係る美容器１００の斜視図である。図２〜７は、図１の美容器１００の六面図であり、それぞれ、正面図、背面図、平面図、底面図、右側面図、左側面図である。図８は、図１の美容器１００の分解斜視図である。図９、１０は、図１の美容器１００の透視図であり、それぞれ、透視斜視図、透視正面図である。以下では、美容器１００を顔、特に下あごに使用する場合について説明するが、これには限定されず、美容器１００を人体の他の部位に使用してもよく、例えばより小さく構成して鼻や目元に使用してもよく、また例えばより大きく構成して腹部や脚に使用してもよい。
【００１２】
美容器１００は、グリップ（基部）１０と、グリップ１０から延びる第１アーム２０Ｒおよび第２アーム２０Ｌと、第１アーム２０Ｒの先端側（グリップ１０とは反対側）に設けられる２つの第１施術体３０Ｒ、３２Ｒと、第２アーム２０Ｌの先端側に設けられる２つの第２施術体３０Ｌ、３２Ｌと、を備える。
【００１３】
以下、第１施術体３０Ｒと第２施術体３０Ｌが向き合う方向、言い換えると第１施術体３０Ｒの中心と第２施術体３０Ｌの中心を通る方向を、第１方向Ｐ１あるいは左右方向として説明する。なお、第１施術体３２Ｒと第２施術体３２Ｌとが向き合う方向、言い換えると第１施術体３２Ｒの中心と第２施術体３２Ｌの中心を通る方向も、第１方向Ｐ１である。また、施術体の中心とは、施術体の赤道ＥＬ（図２参照）の中心であり、施術体の赤道ＥＬは、施術体の回転軸に直交する平面と施術体の外周面とが交わってできる大円である。
【００１４】
グリップ１０は、形状は特に限定されないが、好ましくは使用者が握りやすい形状に形成され、図示の例では略楕円体状に形成されている。グリップ１０は、略楕円体状に形成されるグリップ本体１２と、グリップ本体１２の内部に配置され、グリップ本体１２に固定されるグリップ芯材１４と、を含む。グリップ本体１２は、比較的剛性が高い（すなわち比較的弾性率が高い）材料、例えばＡＢＳ樹脂により形成される。グリップ芯材１４は、ＰＯＭ（ポリアセタール）により形成される。
【００１５】
第１アーム２０Ｒおよび第２アーム２０Ｌは、グリップ１０に対して左右対称（すなわち図２において点線に対して左右対称）となるように構成される。第１アーム２０Ｒおよび第２アーム２０Ｌは、長手方向の略中央部分で両者の間隔が最大となり、それよりもグリップ１０側ではグリップ１０から離れるほど両者の間隔が徐々に広くなり、それよりも施術体側ではグリップ１０から離れるほど両者の間隔が徐々に近くなるように湾曲している。なお、第１アーム２０Ｒおよび第２アーム２０Ｌの形状は、これには限定されない。
【００１６】
第１アーム２０Ｒは、グリップ１０から延びる第１変形部２２Ｒと、第１変形部２２Ｒの先端側に接続される第１支持部２４Ｒと、第１支持部２４Ｒの先端側から延びる２つの第１支持軸２６Ｒ、２８Ｒと、を含む。第２アーム２０Ｌは、グリップ１０から延びる第２変形部２２Ｌと、第２変形部２２Ｌの先端側に接続される第２支持部２４Ｌと、第２支持部２４Ｌの先端側から延びる２つの第２支持軸２６Ｌ、２８Ｌと、を含む。
【００１７】
第１変形部２２Ｒおよび第２変形部２２Ｌは、第１施術体と第２施術体との距離が変化するよう弾性変形可能に構成される。第１変形部２２Ｒおよび第２変形部２２Ｌは特に、それらの先端同士が互いに離れるように、ひいては各アームの先端同士が互いに離れるように、ひいては第１施術体と第２施術体とが互いに離れるように、弾性変形可能に構成される。また、第１変形部２２Ｒおよび第２変形部２２Ｌは、ねじり弾性変形可能に構成される。なお、第１変形部２２Ｒおよび第２変形部２２Ｌは、使用後は、弾性力によって元の状態に戻る、すなわち第１施術体と第２施術体との距離は使用前の状態に戻る。
【００１８】
第１変形部２２Ｒは、棒状の変形部芯材３６Ｒと、変形部芯材３６Ｒを覆う変形部カバー３８Ｒと、を含む。変形部芯材３６Ｒおよび変形部カバー３８Ｒは、いずれも比較的剛性が低い（すなわち比較的弾性率（ヤング率）が低い）材料により形成される。変形部芯材３６Ｒと変形部カバー３８Ｒとは異なる弾性率の材料により形成される。ここでは、変形部芯材３６Ｒは、変形部カバー３８Ｒより弾性率が高い材料により形成される。つまり、弾性率が高い部材が当該部材よりも弾性率が低い部材によって覆われている。本実施の形態では、変形部芯材３６ＲはＰＯＭにより形成され、変形部カバー３８Ｒはエラストマにより、より具体的にはハイトレル（登録商標）、エラストラン（登録商標）またはトライタン（登録商標）により形成される。なお、後述するように、変形部カバー３８Ｒをハイトレルにより形成した場合に、最もよい体感が得られている。
【００１９】
図１１は、図２のＡ−Ａ線断面図であって、第１変形部２２Ｒの延在方向に垂直な断面図である。第１変形部２２Ｒは、その延在方向に垂直な断面の面方向に沿った方向であって第１方向Ｐ１に直交する方向である第２方向Ｐ２（図２の紙面方向）に寸法が長く、当該面方向に沿った方向であって第２方向Ｐ２に直交する第３方向Ｐ３に寸法が短くなるように形成される。つまり、第１変形部２２Ｒは、第２方向Ｐ２に比較的厚く、第３方向Ｐ３に比較的薄くなるよう形成される。これにより第１変形部２２Ｒは、第１施術体が第２施術体から離れる方向に、具体的には第１施術体と第２施術体との第１方向Ｐ１における距離が長くなるように弾性変形可能となる。なお、本実施の形態では、第１変形部２２Ｒは、主に、点線５６（図１〜３、１２参照）で囲んだ根本部分が弾性的に撓み変形する。一方、第１変形部２２Ｒは、第１施術体と第２施術体との第３方向における距離が長くなる方向には、弾性変形不可能あるいは弾性変形しにくくなる。つまり図示の例では、第１変形部２２Ｒは、形状によって弾性変形の方向が規制される。なお、第１変形部２２Ｒの断面は、第２方向Ｐ２に寸法が長く第３方向Ｐ３に寸法が短ければよく、図示の形状には限定されない。
【００２０】
図１〜１０に戻り、第２変形部２２Ｌは、変形部芯材３６Ｌと、変形部カバー３８Ｌと、を含む。変形部芯材３６Ｌ、変形部カバー３８Ｌはそれぞれ、左右対称である以外は第１変形部２２Ｒの変形部芯材３６Ｒ、変形部カバー３８Ｒと同様に構成される。
【００２１】
図１〜１０に戻り、第１支持部２４Ｒおよび第２支持部２４Ｌは、実質的に弾性変形不可能に構成される。具体的には、第１支持部２４Ｒは、棒状の支持部芯材４６Ｒと、支持部芯材４６Ｒを覆う支持部カバー４８Ｒと、を含む。支持部芯材４６Ｒは、ＰＯＭにより形成される。支持部カバー４８Ｒは、比較的剛性が高い（すなわち比較的弾性率（ヤング率）が高い）材料、例えばＡＢＳ樹脂により形成される。これにより、第１支持部２４Ｒ全体としては、実質的に弾性変形不可能となる。第２支持部２４Ｌは、支持部芯材４６Ｌと、支持部カバー４８Ｌと、を含む。支持部芯材４６Ｌ、支持部カバー４８Ｌはそれぞれ、第１支持部２４Ｒの支持部芯材４６Ｒ、支持部カバー４８Ｒと同様に構成される。
【００２２】
なお、グリップ芯材１４、変形部芯材３６Ｒ、３６Ｌおよび支持部芯材４６Ｒ、４６Ｌは一体に形成され、全体として概ねＹ字状の所定の形状を呈する。具体的には、変形部芯材３６Ｒ、３６Ｌは左右対称にグリップ芯材１４から延び、支持部芯材４６Ｒ、４６Ｌはそれぞれ変形部芯材３６Ｒ、３６Ｌのグリップ芯材１４とは反対側の端部から延びる。
【００２３】
また、変形部カバー３８Ｒ、３８Ｌおよび支持部カバー４８Ｒ、４８Ｌは一体に形成され、全体として概ねＹ字状の所定の形状を呈する。具体的には、変形部カバー３８Ｒのグリップ１０側の端部３８Ｒａと変形部カバー３８Ｌのグリップ１０側の端部３８Ｌａが連結される。また、支持部カバー４８Ｒは変形部カバー３８Ｒのグリップ１０とは反対側の端部３８Ｒｂから延び、支持部カバー４８Ｌは変形部カバー３８Ｌのグリップ１０とは反対側の端部３８Ｌｂから延びる。
【００２４】
２つの第１支持軸２６Ｒ、２８Ｒは、第１支持部２４Ｒと同様に、実質的に弾性変形不可能に、すなわち比較的高い剛性を有するように構成される。本実施の形態では、第１支持軸２６Ｒ、２８Ｒは、例えばＡＢＳ樹脂により、第１支持部２４Ｒの支持部カバー４８Ｒと一体に形成される。２つの第１支持軸２６Ｒ、２８Ｒは、先端側ほど互いに離れるように延在している。したがって第１支持部２４Ｒおよび２つの第１支持軸２６Ｒ、２８Ｒは、全体として概ねＹ字状の所定の形状を有する。第１支持軸２６Ｒ、２８Ｒはそれぞれ、不図示の軸受を介して、第１施術体３０Ｒ、３２Ｒを回転自在に支持する。
【００２５】
第２支持軸２６Ｌ、２８Ｌはそれぞれ、第１支持軸２６Ｒ、２８Ｒと同様に構成される。第２支持軸２６Ｌ、２８Ｌはそれぞれ、不図示の軸受を介して、第２施術体３０Ｌ、３２Ｌを回転自在に支持する。
【００２６】
なお、軸受は施術体側（例えば施術体内）に設けられても、支持軸側（例えば支持軸の先端）に設けられてもよい。例えば軸受が施術体側に設けられる場合、支持軸から突出するローラ軸が施術体側に設けられた軸受に保持される。
【００２７】
第１支持軸２６Ｒは、先端側ほど第２支持軸２６Ｌに近づき、かつ、グリップ１０から離れるように、第１支持部２４Ｒから延在している。また第２支持軸２６Ｌは、先端側ほど第１支持軸２６Ｒに近づき、かつ、グリップ１０から離れるように、第２支持部２４Ｌから延在している。同様に、第１支持軸２８Ｒは、先端側ほど第２支持軸２８Ｌに近づき、かつ、グリップ１０から離れるように、第１支持部２４Ｒから延在している。また第２支持軸２８Ｌは、先端側ほど第１支持軸２８Ｒに近づき、かつ、グリップ１０から離れるように、第２支持部２４Ｌから延在している。
【００２８】
第１支持部２４Ｒおよび第２支持部２４Ｌの少なくとも一方には、電気部品が内蔵される。図示の例では、第１支持部２４Ｒおよび第２支持部２４Ｌの両方に、電気部品、具体的には太陽電池パネル６０（図８参照）が内蔵される。
【００２９】
具体的には、第１支持部２４Ｒの支持部カバー４８Ｒには孔４０Ｒが形成され、孔４０Ｒには受光レンズ４２Ｒが嵌着されている。そして受光レンズ４２Ｒの内側（第１支持部２４Ｒの内部）に、太陽電池パネル６０が配置されている。第１支持部２４Ｒ（支持部カバー４８Ｒ）に内蔵される太陽電池パネル６０のプラスの出力端子、マイナスの出力端子はそれぞれ、第１施術体３０Ｒ、第１施術体３２Ｒと電気的に接続されている。したがって、第１施術体３０Ｒおよび第１施術体３２Ｒが人体（頬）に触れると、太陽電池パネル６０、第１施術体３０Ｒ、人体、および第１施術体３２Ｒを含む閉回路が形成されて人体に微弱電流が流れ、これにより血流の促進やリンパ液の循環の促進などが図られる。
【００３０】
同様に、第２支持部２４Ｌの支持部カバー４８Ｌには孔４０Ｌが形成され、孔４０Ｌには受光レンズ４２Ｌが嵌着されている。そして受光レンズ４２Ｌの内側（第２支持部２４Ｌの内部）に、太陽電池パネル６０が配置されている。第２支持部２４Ｌ（支持部カバー４８Ｌ）に内蔵される太陽電池パネル６０のプラスの出力端子、マイナスの出力端子はそれぞれ、第２施術体３０Ｌ、第２施術体３２Ｌと電気的に接続されている。したがって、第２施術体３０Ｌおよび第２施術体３２Ｌが人体（頬）に触れると、太陽電池パネル６０、第２施術体３０Ｌ、人体、および第２施術体３２Ｌを含む閉回路が形成されて人体に微弱電流が流れる。
【００３１】
変形例として、第１支持部２４Ｒに内蔵される太陽電池パネル６０のプラスの出力端子、マイナスの出力端子はそれぞれ、第１施術体、グリップ１０と電気的に接続されてもよい。この場合、グリップ１０を握って第１施術体を頬に当てると、すなわちグリップ１０および第１施術体が人体に触れると、太陽電池パネル６０、第１施術体、人体およびグリップ１０を含む閉回路が形成されて人体に微弱電流が流れる。同様に第２支持部２４Ｌに内蔵される太陽電池パネル６０のプラスの出力端子、マイナスの出力端子はそれぞれ、第２施術体、グリップ１０と電気的に接続されてもよい。この場合、グリップ１０を握って第２施術体を頬に当てると、すなわちグリップ１０および第２施術体が人体に触れると、太陽電池パネル６０、第２施術体、人体およびグリップ１０を含む閉回路が形成されて人体に微弱電流が流れる。
【００３２】
さらなる変形例として、第１支持部２４Ｒに内蔵される太陽電池パネル６０のプラスの出力端子が第１施術体と電気的に接続され、第２支持部２４Ｌに内蔵される太陽電池パネル６０のマイナスの出力端子が第２施術体と電気的に接続され、第１支持部２４Ｒに内蔵される太陽電池パネル６０のマイナスの出力端子と第２支持部２４Ｌに内蔵される太陽電池パネル６０のプラスの出力端子とが電気的に接続（すなわち直列に接続）されてもよい。この場合、第１支持部２４Ｒ内の太陽電池パネル６０、第１施術体、人体、第２施術体、第２支持部２４Ｌ内の太陽電池パネル６０を含む閉回路が形成されて人体に微弱電流が流れる。
【００３３】
第１施術体３０Ｒ、３２Ｒ、第２施術体３０Ｌ、３２Ｌはそれぞれ、回転体すなわちローラである。第１施術体３０Ｒ、３２Ｒは第１アーム２０Ｒに回転自在に支持され、第２施術体３０Ｌ、３２Ｌは第２アーム２０Ｌに回転自在に支持される。施術体の形状は特に限定されないが、図示の例では概ね球状に形成され、表面に多数の三角形の面を有する。本実施の形態では、第１施術体３０Ｒ、３２Ｒ、第２施術体３０Ｌ、３２Ｌは、同一の形状および大きさに形成される。
【００３４】
グリップ１０、第１アーム２０Ｒおよび第２アーム２０Ｌの外表面には、美容器１００のデザイン性を向上させるために表面処理が施され、具体的には例えばメタリックな外観を付与するために金属メッキ処理が施される。ここで、上述のように芯材はＰＯＭにより形成されている。化学的に非常に安定で結晶性であるＰＯＭにより形成されている部材は、メッキや塗装などの表面処理が困難であることが知られている。これに対し本実施の形態では、芯材はエラストマやＡＢＳ樹脂により形成されたカバー等によって覆われているため、グリップ１０、第１アーム２０Ｒおよび第２２０Ｌに表面処理を施すのが容易となっている。
【００３５】
変形例として、グリップ１０、第１アーム２０Ｒおよび第２アーム２０Ｌの外表面に表面処理を施す代わりに、グリップ本体１２、変形部カバー３８Ｒ、３８Ｌ、支持部カバー４８Ｒ、４８Ｌを所望の質感および色の材料で形成することにより、美容器１００のデザイン性を向上させてもよい。
【００３６】
図６に示されるように、美容器１００は、グリップ１０とアームの連結部分で屈曲したような形状を有する。具体的には美容器１００は、美容器１００を第１アーム２０Ｒ側から第１方向Ｐ１（すなわち図６の紙面に垂直な方向）に見たとき、グリップ１０の基準軸線Ｌ１であってグリップ１０に外接する２つの円弧の交点Ｐａと交点Ｐｂとを結ぶ基準軸線Ｌ１が、２つの交点Ｐａ、Ｐｂのうちの施術体に近い交点Ｐａと第１施術体３０Ｒの中心とを結ぶ直線Ｌ２と、交点Ｐａと第１施術体３２Ｒの中心とを結ぶ直線Ｌ３との二等分線Ｌ４と交差するように構成されている。図示の例では美容器１００は、美容器１００を第１アーム２０Ｒ側から第１方向Ｐ１に見たとき、基準軸線Ｌ１に対して第１施術体３０Ｒおよび第１施術体３２Ｒが同じ側に位置し、かつ、基準軸線Ｌ１と直線Ｌ２とがなす鋭角α１が基準軸線Ｌ１と直線Ｌ３とがなす鋭角α２よりも小さくなるように構成されている。なお、第１アーム２０Ｒ、第１施術体３０Ｒ、第１施術体３２Ｒをそれぞれ第２アーム２０Ｌ、第２施術体３０Ｌ、第２施術体３２Ｌに読み替えることにより、第２アーム２０Ｌにも同様の説明が当てはまる。
【００３７】
図１２、１３はそれぞれ、美容器１００の使用状態を示す正面図、側面図である。なお、ここでは美容器１００が頬（図１３において点線５０で囲んだ部分）に使用される場合について説明するが、美容器１００はフェイスライン（図１３において点線５２で囲んだ部分）に使用されてもよい。美容器１００の使用者は、グリップ１０を持ち、第１施術体が右頬に当たり、第２施術体が左頬に当たるように第１施術体と第２施術体とで下あごを挟み、美容器１００を上下動させる。このとき、第１施術体と第２施術体とで下あごを挟み込んでいないときに比べて、第１施術体と第２施術体とが互いに離れるように第１変形部２２Ｒおよび第２変形部２２Ｌは弾性変形し、それらの弾性力により、第１施術体、第２施術体が各頬に押し付けられる。
【００３８】
第１施術体、第２施術体が各頬に押し付けられている状態で美容器１００を上下動させると、頬が摘み上げられたり押し広げられたりする。これについて図１４、１５を参照して説明する。ここでは代表して第１施術体を例に説明するが、第２施術体についても同様の説明が当てはまる。
【００３９】
図１４、１５は、第１施術体の使用状態を示す上面図である。第１施術体３０Ｒ、３２Ｒは、第１支持部２４Ｒから離れるほど、第１施術体３０Ｒの回転軸Ｒ１と第１施術体３２Ｒの回転軸Ｒ２との間隔が大きくなるように設けられる。そのため、図１２に示されるように第１施術体３０Ｒ、３２Ｒを頬に押し付けた状態で美容器１００を下方向に動かすと、図１４に示すように第１施術体３０Ｒと第１施術体３２Ｒとの間で肌が摘み上げられる。また、図１２に示されるように第１施術体３０Ｒ、３２Ｒを頬に押し付けた状態で美容器１００を上方向に動かすと、図１５に示すように第１施術体３０Ｒと第１施術体３２Ｒとの間で頬が押し広げられる。頬が摘み上げられ又は押し広げられることにより、接触部分の血流やリンパ液の循環が促進する。また、肌がリフトアップされて張りが出る。
【００４０】
ここで、第１施術体、第２施術体が押し付けられる力が強すぎると、その分、摘み上げる力が強くなり、肌に負担がかかる。また、美容器１００を使用する人の顔が大きいほど、第１施術体と第２施術体とがより離れるように第１変形部２２Ｒおよび第２変形部２２Ｌが弾性変形するため、その分、第１変形部２２Ｒおよび第２変形部２２Ｌの弾性力が強くなり、第１施術体、第２施術体が各頬に押し付けられる力も大きくなる。
【００４１】
そこで本実施の形態では、第１施術体、第２施術体が的確な力で押し付けられるように第１変形部２２Ｒおよび第２変形部２２Ｌが構成される。具体的には、常温（例えば２０〜２５℃）の環境において、第１施術体３０Ｒの外表面と第２施術体３０Ｌの外表面との最短距離が１２０ｍｍであるときに、第１施術体３０Ｒおよび第２施術体３０Ｌがそれらの間に挟まれる対象（すなわち頬）を第１方向Ｐ１に押し付ける力が３．５〜７Ｎとなるように、より好ましくは３．５〜５Ｎとなるように、第１変形部２２Ｒおよび第２変形部２２Ｌが構成される。押し付け力が３．５〜７Ｎの場合、押し付け力が適当で気持ち良い体感を得られる。押し付け力が３．５〜５Ｎの場合、押し付け力が適当で気持ち良い体感を得られる上に、弾性力によってアームが元の形状に戻るときに施術体同士が衝突しないか、破損しない程度の力で衝突させることができる、すなわち、施術体同士が激しく衝突して施術体が破損するのを抑止できる。
【００４２】
具体的には変形部は、上述の押し付け力が実現され、かつ、ねじり弾性変形可能なように、変形部芯材がＰＯＭにより形成され、変形部カバエラストマにより形成され、断面形状および／または太さが決定される。この場合、或る程度顔が小さい人でも、また或る程度顔が大きい人でも、第１施術体、第２施術体が各頬に押し付けられる力が推奨の範囲内となる。なお、第１施術体３０Ｒおよび第２施術体３０Ｌがそれらの間に挟まれる対象を押し付ける力は、例えばテンションゲージで測定される。
【００４３】
図１〜１０に戻り、第１変形部２２Ｒおよび第２変形部２２Ｌが弾性変形していない状態において、第１施術体３０Ｒの外表面と第２施術体３０Ｌの外表面との最短距離Ｄ１と、第１施術体３２Ｒの外表面と第２施術体３２Ｌの外表面との最短距離Ｄ２とが異なっている。図示の例では、最短距離Ｄ１よりも最短距離Ｄ２が広くなっている。一例として、最短距離Ｄ１と最短距離Ｄ２の比は、１：４とする。一般に下あごは後ろ側ほど幅広であるところ、弾性変形していない状態での最短距離がより短い第１施術体３０Ｒおよび第２施術体３０Ｌが下あごの前側に当たり、最短距離がより長い第１施術体３２Ｒおよび第２施術体３２Ｌが下あごの後ろ側に当たるように美容器１００を使用（以下、「順向きで使用」と呼ぶ）することで、第１施術体３０Ｒおよび第２施術体３０Ｌが頬を押し付ける力と第１施術体３２Ｒおよび第２施術体３２Ｌが頬を押し付ける力とを同程度にできる。
【００４４】
もちろん、第１施術体３０Ｒおよび第２施術体３０Ｌが下あごの後ろ側に当たり、第１施術体３２Ｒおよび第２施術体３２Ｌが下あごの前側に当たるように美容器１００を使用（以下、「逆向きで使用」と呼ぶ）してもよく、この場合、各施術体の頬への当たり方が順向きで使用する場合と異なり、順向きで使用する場合と異なる体感を得られる。
【００４５】
なお変形例として、第１変形部２２Ｒおよび第２変形部２２Ｌが弾性変形していない状態において、第１施術体３０Ｒの外表面と第２施術体３０Ｌの外表面との最短距離Ｄ１と、第１施術体３２Ｒの外表面と第２施術体３２Ｌの外表面との最短距離Ｄ２とが同じであってもよい。
【００４６】
続いて、以上説明した本実施の形態が奏する効果について述べる。本実施の形態によれば、アームの変形部は、変形部芯材と当該変形部芯材を覆う変形部カバーとで構成される。変形部芯材と変形部カバーとを異なる弾性率の材料で形成することで、施術体が頬を押し付ける押し付け力に関して、変形部をひとつの材料だけで構成した場合には実現できない３．５〜７Ｎの押し付け力を実現できる。本実施の形態では特に、変形部芯材をＰＯＭにより形成し、変形部カバーをエラストマにより形成することで、３．５〜７Ｎの押し付け力を実現している。また、変形部芯材と変形部カバーとを異なる弾性率の材料で形成し、３．５〜５Ｎの押し付け力を実現することで、弾性力によってアームが元の形状に戻るときに施術体同士が激しく衝突して施術体が破損するのを抑止できる。
【００４７】
また、本実施の形態によれば、グリップ１０およびアームの芯材は、カバー等によって覆われる。これにより、カバー等を所望の質感および色の材料で形成することにより美容器１００のデザイン性を向上できる。また、本実施の形態によれば、グリップ１０およびアームの芯材は、ＰＯＭにより形成される。ＰＯＭは、高い引張強度を持ち、したがって疲労強度が高く、したがって美容器１００を多数回（例えば１００万回以上）使用しても破壊されない。つまり、所望の押し付け力を実現しつつも、疲労破壊しにくい美容器１００を実現できる。しかしながら、ＰＯＭは、メッキや塗装などの表面処理を施すのが困難である。これに対し、本実施の形態では、グリップ１０およびアームは表面処理が容易な材料、例えばエラストマにより形成されるカバー等で覆われるため、比較的容易にグリップ１０およびアームに表面処理を施すことができる。
【００４８】
また、本実施の形態によれば、各アームは、第１施術体と第２施術体とが互いに離れるように弾性変形可能な変形部を含み、その弾性力により、第１施術体と第２施術体が頬に押し付けられる。これにより、使用者が力を入れて施術体を頬に押し付ける必要がなく、使用者は楽に美容器１００を使用できる。
【００４９】
また、本実施の形態によれば、変形部はねじり弾性変形可能に構成される。このため、使用時には、下あごの形にならって、第１施術体３０Ｒの外表面と第２施術体３０Ｌの外表面との最短距離Ｄ１と、第１施術体３２Ｒの外表面と第２施術体３２Ｌの外表面との最短距離Ｄ２とが変化することが許容され、その結果、各施術体を頬に密着させることができ、的確な力で施術体を頬に押し付けることができる。
【００５０】
また、本実施の形態によれば、各アームは、実質的に弾性変形不可能な支持部を含み、この支持部に電子部品が内蔵される。これにより、電子部品はアームの変形の影響を受けずに済む。
【００５１】
また、本実施の形態によれば、第１施術体３０Ｒと第１施術体３２Ｒとの間と、第２施術体３０Ｌと第２施術体３２Ｌとの間で、頬が摘み上げられたり押し広げられたりする。これにより、各頬の血流やリンパ液の循環が促進する。また、両頬を同時に摘み上げたり押し広げたりできるため、片方ずつ摘み上げたり押し広げたりする場合と比べて、時間を短縮（例えば半分に）できる。
【００５２】
また、本実施の形態によれば、第１変形部２２Ｒおよび第２変形部２２Ｌの弾性変形による弾性力により、第１施術体および第２施術体が的確な力で頬に押し付けられる。これにより、施術体を押し付ける力を使用者が調節する必要がなくなり、使用者の負担が低減する。また、第１アーム２０Ｒと第２アーム２０Ｌが左右対称に構成されているため、第１施術体、第２施術体が各頬を押し付ける力が同じになる。
【００５３】
また、本実施の形態によれば、最短距離Ｄ１よりも最短距離Ｄ２が広くなっている。これにより、美容器１００を順向きで使用することで、第１施術体３０Ｒおよび第２施術体３０Ｌが頬を押し付ける力と第１施術体３２Ｒおよび第２施術体３２Ｌが頬を押し付ける力とを同程度にできる。また、美容器１００を逆向きで使用することで、順向きで使用する場合と異なる体感を得られる。つまり、使い方次第で、ひとつの美容器１００で２つの体感を得られる。
【００５４】
また、本実施の形態によれば、第１アーム２０Ｒおよびアーム２０Ｌが弾性変形していない状態において、第１施術体と第２施術体との間には隙間が存在する。これにより、第１施術体と第２施術体との間に顔のあご付近を挿入しやすく、顔に沿った施術を行いやすい。
【００５５】
また、本実施の形態によれば、第１施術体、第２施術体から各頬に微弱電流が流れる。つまり、両頬に同時に微弱電流を流すことができる。また、上述のように、第１施術体、第２施術体が頬に押し付けられているため、施術体と人体との安定した電気的接続状態を実現できる。
【００５６】
また、例えば美容器１００がアームを１つだけ備える場合、右頬を摘み上げたり押し広げたりするときは右手で美容器１００を使用し、左頬を摘み上げたり押し広げたりするときは左手で美容器１００を使用することになる。つまり、一方の頬は利き手で美容器１００を使用し、他方の頬は利き手ではない手で美容器１００を使用することになる。利き手ではない手で美容器１００を使用する場合、利き手で美容器１００を使用する場合と比べて、施術体を頬に押し付ける力の調節は多少なりとも難しい。これに対し、本実施の形態によれば、第１変形部２２Ｒおよび第２変形部２２Ｌの弾性変形による弾性力により、第１施術体および第２施術体が的確な力で頬に押し付けられるため、利き手で美容器１００を使用しようが利き手でない手で使用しようが、第１施術体および第２施術体を的確な力で頬に押し付けることができる。
【００５７】
以上が本実施の形態が奏する効果である。続いて、変形部芯材にＰＯＭを採用し、変形部カバーにエラストマ、特にハイトレルを採用した根拠を示す。
【００５８】
本発明者はまず、頬に加えられる押し付け力が４〜８Ｎ程度の場合に人は気持ち良いと感じるとの知見のもと、第１施術体３０Ｒの外表面と第２施術体３０Ｌの外表面との最短距離が１２０ｍｍのときに４〜８Ｎ前後の押し付け力が得られると想定され、かつ、外観は自由に装飾可能な変形部の構成を検討した。なお、１２０ｍｍとの距離は、国立研究開発法人産業技術総合研究所により提供された情報に基づく距離であって、男女ともに成人の９５％の人の下顎角幅が収まる距離である。
【００５９】
本発明者は、鋭意検討した結果、変形部を、変形部芯材と変形部芯材を覆う変形部カバーの二部材で構成することとし、ＰＥＩ（ポリエーテルイミド）、ＰＯＭおよびゴムメタル（登録商標）を変形部芯材の材料の候補に選び、ハイトレル、エラストランおよびトライタンを変形部カバーの材料の候補に選んだ。
【００６０】
本発明者は、変形部芯材の候補の中から５０万回の使用に耐えうる芯材を特定するためのシミュレーションを行った。なお、美容器１００の施術体を頬を１往復させるのを１回の使用とする。５０万回という使用回数は、美容器１００を５年間毎日、２秒に１回のペースで６分間使用した場合の使用回数に安全率（ここでは１．５）を乗じた回数である。
【００６１】
図１６は、代表的なシミュレーション結果を示す図である。シミュレーションでは、第１施術体３０Ｒの外表面と第２施術体３０Ｌの外表面との最短距離Ｄ１が１２０ｍｍの場合および２００ｍｍの場合のそれぞれに、変形部芯材の最も弱いと想定されるの部分、具体的には図１〜３、１２において点線５６で囲んだ根本部分に対応する変形部芯材の部分に生じる応力を計算した。なお、２００ｍｍとの距離は、国立研究開発法人産業技術総合研究所により提供された情報に基づく距離であって、男女ともに成人の９７．５％の人の耳珠間幅が収まる距離である１７０ｍｍに大きめの余裕をみた距離である。
【００６２】
ここで、各変形部芯材の材料の５０万時間強度は以下の通りである。
ＰＥＩ：７ＭＰａ
ＰＯＭ：４５ＭＰａ
ゴムメタル：３３０ＭＰａ
【００６３】
図１６を参照すると、ＰＥＩには５０万時間強度以上の応力が生じており、一方、ＰＯＭおよびゴムメタルには５０万時間強度未満の応力しか生じていないことが分かる。本発明者は、このシミュレーション結果より、ＰＯＭおよびゴムメタルを変形部芯材の候補として残し、ＰＥＩを変形部芯材の候補から外した。また、シミュレーション結果より、いずれの組み合わせも、４〜８Ｎ前後の押し付け力を実現できることが分かる。
【００６４】
続いて本発明者は、候補に残った各変形部芯材と変形部カバーとの組み合わせについて試作品を作成し、それぞれによる押し付け力を測定した。図１７は、押し付け力の測定結果を示す図である。測定では、第１施術体３０Ｒの外表面と第２施術体３０Ｌの外表面との最短距離Ｄ１が１２０ｍｍのときの押し付け力を、テンションゲージでそれぞれ１０回測定した。図１７を参照すると、いずれの組み合わせも、シミュレーション結果の通り、４〜８Ｎ前後の押し付け力を実現できることが分かる。
【００６５】
続いて本発明者は、試作品を用いて体感試験を行った。体感試験は、２５歳〜４９歳の女性３２名に対して実施した。被験者には、各美容器を体感してもらい、施術体が頬を押し付ける力が最適で一番気持ち良いと感じる美容器を回答させた。図１８は、体感試験の結果を示す。図１８に示すように、変形部芯材がＰＯＭ製で変形部カバーがハイトレル製の美容器が一番気持ち良いと回答した被験者が、３２人中１８人と最も多かった。本発明者は、この試験結果より、変形部芯材の材料としてＰＯＭを選定し、変形部カバーの材料としてハイトレルを選定した。
【００６６】
また本発明者は、一番気持ち良いと回答した被験者が最も多かった、変形部芯材がＰＯＭ製で変形部カバーがハイトレル製の美容器での押し付け力の測定結果より、美容器の施術体が使用者の頬に加えるべき押し付け力の範囲を決定した。すなわち、図１７に示される変形部芯材がＰＯＭ製で変形部カバーがハイトレル製の美容器での押し付け力の測定値のうち、最も低い測定値である３．５Ｎを押し付け力の範囲の下限とし、最も高い測定値である７Ｎを押し付け力の範囲の上限に決定した。
【００６７】
以上、本発明について実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。以下変形例を示す。
【００６８】
（変形例１）
実施の形態では、第１、第２施術体がそれぞれ回転体であり、第１アーム２０Ｒ、第２アーム２０Ｌに回転自在に支持される場合について説明したが、これに限られず、第１、第２施術体はそれぞれ非回転体であってもよい。すなわち、第１、第２施術体は、第１アーム、第２アームに対して回転しなくてもよい。この場合、美容器を上下動させると、第１施術体および第２施術体は各頬に押し付けられながら各頬を摺動する。
【００６９】
（変形例２）
実施の形態では、第１施術体３０Ｒ、３２Ｒ、第２施術体３０Ｌ、３２Ｌが同じ大きさに形成される場合について説明したが、これに限られない。例えば第１施術体３０Ｒと第２施術体３０Ｌが、第１施術体３２Ｒと第２施術体３２Ｌが、それぞれ同じ大きさで、第１施術体３０Ｒ、第２施術体３０Ｌが第１施術体３２Ｒ、第２施術体３２Ｌよりも大きくてもよい。この場合、第１施術体３０Ｒの中心と第１施術体３２Ｒの中心とを通る直線と、第２施術体３０Ｌの中心と第２施術体３２Ｌの中心とを通る直線とが平行になるように各施術体を配置しても、第１変形部２２Ｒおよび第２変形部２２Ｌが弾性変形していない状態において、第１施術体３０Ｒと第２施術体３０Ｌとの最短距離Ｄ１よりも、第１施術体３２Ｒと第２施術体３２Ｌとの最短距離Ｄ２を長くできる。
【００７０】
（変形例３）
実施の形態では、第１アーム２０Ｒおよびアーム２０Ｌが弾性変形していない状態において、第１施術体と第２施術体との間には隙間が存在する場合について説明したが、これには限定されず、例えば、第１アーム２０Ｒおよびアーム２０Ｌが弾性変形していない状態において第１施術体３０Ｒと第２施術体３０Ｌとの間には隙間が存在しなくても、言い換えると第１施術体３０Ｒと第２施術体３０Ｌとが接触していても、さらに言い換えると第１施術体３０Ｒの外表面と第２施術体３０Ｌの外表面との最短距離Ｄ１が０ｍｍであってもよい。ここで、第１施術体３０Ｒと第２施術体３０Ｌとの間に隙間を設ける場合、製造誤差により、隙間が製品ごとで不均一になるおそれがある、すなわち見た目が製品ごとで不均一になるおそれがある。これに対し、第１施術体３０Ｒと第２施術体３０Ｌとの間に隙間を設けない場合、例えば第１施術体３０Ｒと第２施術体３０Ｌとがわずかに押し付け合うように構成すれば、多少の製造誤差があってもそれらは互いに接触するため、見た目が製品ごとで不均一になるといった問題が生じない。
【００７１】
上述した実施の形態と変形例の任意の組み合わせもまた本発明の実施の形態として有用である。組み合わせによって生じる新たな実施の形態は、組み合わされる実施の形態および変形例それぞれの効果をあわせもつ。
【符号の説明】
【００７２】
１０  グリップ、  ２０Ｒ  第１アーム、  ２０Ｌ  第２アーム、  ２２Ｒ  第１変形部、  ２２Ｌ  第２変形部、  ３０Ｒ，３２Ｒ  第１施術体、  ３０Ｌ，３２Ｌ  第２施術体、  １００  美容器。
【図１】
2020099659.tif 000003
【図２】
2020099659.tif 000004
【図３】
2020099659.tif 000005
【図４】
2020099659.tif 000006
【図５】
2020099659.tif 000007
【図６】
2020099659.tif 000008
【図７】
2020099659.tif 000009
【図８】
2020099659.tif 000010
【図９】
2020099659.tif 000011
【図１０】
2020099659.tif 000012
【図１１】
2020099659.tif 000013
【図１２】
2020099659.tif 000014
【図１３】
2020099659.tif 000015
【図１４】
2020099659.tif 000016
【図１５】
2020099659.tif 000017
【図１６】
2020099659.tif 000018
【図１７】
2020099659.tif 000019
【図１８】
2020099659.tif 000020